(57)【要約】【課題】荷重分散可能な回転椅子の脚部構造を提供する。【解決手段】４〜６個の足を備え、それぞれの足の先端の底面に移動可能にするキャスターが取り付けられた回転椅子の脚部において、前記脚部の底面に荷重を分散させる支持体をさらに備えることにより、キャスターへの荷重の集中を分散してキャスターの破損及び変形を防止することができ、しかも、使用者が座った状態で支持体を地面と接触させることにより、使用者が座った状態で余計に移動させられることを防止して使用者に便宜を提供することができる。【選択図】図２
2008229315.tif 000002
【特許請求の範囲】
【請求項１】
４〜６個の足を備え、それぞれの足の先端の底面に移動可能にするキャスターが取り付けられた回転椅子の脚部において、
前記脚部の底面に荷重を分散させる支持体をさらに備えることを特徴とする荷重分散可能な回転椅子の脚部構造。
【請求項２】
前記支持体は、
金属、合成樹脂、軟質ゴムのいずれか１種で円形棒状に形成され、底面に第１固定突起が突設される第１ボディと、
前記第１固定突起に上端が嵌挿されるコイルばねと、
金属、合成樹脂、軟質ゴムのいずれか１種で下広上狭の円形棒状に形成され、上面にコイルばねの下端が嵌挿される第２固定突起が突設される第２ボディと、を備えてなることを特徴とする請求項１に記載の荷重分散可能な回転椅子の脚部構造。
【請求項３】
前記支持体は、前記脚部の底面中央部に取り付けられ、地面から４〜１０ｍｍ離れていることを特徴とする請求項２に記載の荷重分散可能な回転椅子の脚部構造。
【請求項４】
前記支持体は、前記脚部の底面中央部と前記底面中央部を中心に等間隔で放射状に取り付けられるが、このとき、前記脚部の底面中央部が地面から４〜１０ｍｍ離れており、前記脚部の底面中央部を中心に放射状に遠ざかるにつれて地面との距離が次第に狭くなることを特徴とする請求項２に記載の荷重分散可能な回転椅子の脚部構造。
【請求項５】
前記脚部は、底面に前記支持体がボルト式またはインサート式で挿入される取付ホールが設けられることを特徴とする請求項１に記載の荷重分散可能な回転椅子の脚部構造。。
【発明の詳細な説明】
【技術分野】
【０００１】
本発明は、荷重分散可能な回転椅子の脚部構造に係り、詳細には、脚部の底面に支持体を設置した荷重分散可能な回転椅子の脚部構造に関する。
【背景技術】
【０００２】
一般に、椅子は家具の一種であって、背凭れ部、座板部及びそれを支承する脚部で構成される。
【０００３】
椅子は、通常使用先並びに生活様式によって様々な形状のものが提案されている。
【０００４】
一方、近年、椅子に座って仕事をする事務職員は、一日中事務用椅子に座ったまま生活する時間が長く、さらにコンピューターなどの急速な普及に伴い椅子に座って仕事する時間がより長くなり、このため、作業姿勢で長時間座っていても使用者の疲労感を少なくできるように、安楽な着座姿勢を可能とする背凭れ部と座板部を有する各種回転椅子が提案されている。
【０００５】
図１は、従来の回転椅子を示す斜視図である。
【０００６】
図１に示すように、回転椅子は、座板部１０と、背凭れ部２０と、肘掛け部３０と、分岐された複数の足４１を有する脚部４０と、足４１の底面に取り付けられたキャスター５０と、を備えてなる。
【０００７】
すなわち、前記座板部１０の下側中心部には高さ調整棒１１が垂設され、前記高さ調整棒１１の底面には脚部４０が結合される。
【０００８】
しかし、従来の回転椅子の脚部は、放射状に形成された各足部の先端の底面にのみキャスターが取り付けられているから、床面が平らでない場合にはキャスターのいずれか一つまたは二つに対して荷重が集中するため、キャスターが長持ちできず変形または破損してしまい本来の機能を行えなくなる。
【０００９】
言い換えれば、従来の回転椅子の脚部は、放射状に構成された４〜６個の足部の先端の底面にのみキャスターが取り付けられていて荷重を分散させるが、床面の状態が平らでない場合や先端の底面に取り付けられたキャスターがバランスを取れない場合、これらキャスターの一部に荷重が集中して摩耗し易くなり、同時に過負荷による破損や変形を引き起こし、信頼性を大きく損なってしまう。
【００１０】
このような問題点を解決するために脚部の中央部にキャスターをさらに取り付ける回転椅子が開発された（例えば、下記の特許文献１及び２参照）。
【００１１】
前記回転椅子は、放射状の４〜６個の足を有する通常の脚部の底面中央部にキャスターをさらに取り付けるが、荷重が作用しない状態では中央部のキャスターを床面から少し離れるかまたは当接可能に構成することにより、荷重の安定した分散を図ることにより、脚部の寿命延長と信頼性の向上を実現することができる。
【００１２】
ところが、前記回転椅子は、脚部の底面中央部にキャスターを取り付けるため、むしろ中央のキャスターに荷重が集中してキャスターの破損及び変形が発生することがあり、また、脚部の全ての底面にキャスターが取り付けられるため、使用者が座った状態で余計に移動させられるという不都合がある。
【特許文献１】韓国実用新案登録２０−０４２４７２１号「キャスターが取り付けられた椅子の脚部」
【特許文献２】韓国実用新案登録２０−０３１４９８７号「椅子の脚部構造」
【発明の開示】
【発明が解決しようとする課題】
【００１３】
本発明は、かかる従来の問題点を解決するためのもので、その目的は、脚部の底面に支持体を設けることにより、キャスターへの荷重の集中を分散してキャスターの破損及び変形を防止することができる荷重分散可能な回転椅子の脚部構造を提供することにある。
【００１４】
本発明の他の目的は、使用者が座った状態で支持体を地面と接触させることにより、使用者が座った状態で余計に移動させられることを防止して使用者に便宜を提供し得る荷重分散可能な回転椅子の脚部構造を提供することにある。
【課題を解決するための手段】
【００１５】
上記目的を達成するために、本発明は、４〜６個の足を備え、それぞれの足の先端の底面に移動可能にするキャスターが取り付けられた回転椅子の脚部において、前記脚部の底面に荷重を分散させる支持体をさらに備えることを特徴とする。
【００１６】
また、前記支持体は、金属、合成樹脂、軟質ゴムのいずれか１種で円形棒状に形成され、底面に第１固定突起が突設される第１ボディと、前記第１固定突起に上端が嵌挿されるコイルばねと、金属、合成樹脂、軟質ゴムのいずれか１種で下広上狭の円形棒状に形成され、上面にコイルばねの下端が嵌挿される第２固定突起が突設される第２ボディと、を備えてなる。
【００１７】
また、前記支持体は、前記脚部の底面中央部に取り付けられ、地面から４〜１０ｍｍ離れている。
【００１８】
また、前記支持体は、前記脚部の底面中央部と前記底面中央部を中心に等間隔で放射状に取り付けられるが、このとき、前記脚部の底面中央部が地面から４〜１０ｍｍ離れており、前記脚部の底面中央部を中心に放射状に遠ざかるにつれて地面との距離が次第に狭くなる。
【００１９】
また、前記脚部は、底面に前記支持体がボルト式またはインサート式で挿入される取付ホールが設けられる。
【発明の効果】
【００２０】
上記構成の本発明による荷重分散可能な回転椅子の脚部構造によれば、脚部の底面に支持体を設けることにより、キャスターへの荷重の集中を分散してキャスターの破損及び変形を防止することができ、しかも、使用者が座った状態で支持体を地面と接触させることにより、使用者が座った状態で余計に移動させられることを防止して使用者に便宜を提供することができるという利点がある。
【発明を実施するための最良の形態】
【００２１】
以下、本発明による荷重分散可能な回転椅子の脚部構造を添付図面を参照して詳細に説明する。
【００２２】
以下で本発明を説明するに当たって、関連する公知技術又は構成に関する具体的な説明が本発明の要旨を余計に曖昧にする恐れがあると判断される場合には、その詳細な説明は省かれる。そして、後述する用語は本発明における機能を考慮して定義されたものであって、使用者、運用者の意図や慣例などによって変わる場合がある。従って、その定義はこの明細書の全体に亘っての内容に基づきなされるべきである。
【００２３】
図２は、本発明の第１実施例による荷重分散可能な回転椅子の脚部構造を示す底面斜視図であり、図３は、図２の側面図であり、図４は、本発明の第２実施例による荷重分散可能な回転椅子の脚部構造を示す底面斜視図であり、図５は、図４の側断面図であり、図６は、本発明の第３実施例による荷重分散可能な回転椅子の脚部構造を示す底面斜視図であり、図７は、図６の側断面図であり、図８は、本発明による荷重分散可能な回転椅子の脚部構造の支持体の構成を示す分解斜視図である。
【００２４】
図２乃至図９を参照すると、本発明による荷重分散可能な回転椅子の脚部構造は、キャスター１１０が取り付けられた４〜６個の足１２０を有する脚部１３０の底面に、荷重を分散させる支持体１４０が取り付けられる。
【００２５】
先ず、脚部１３０の底面に、支持体１４０がボルト式またはインサート式で挿入される取付ホール１３１が設けられる。このとき、取付ホール１３１の高さは、下記支持体１４０の第１ボディ１４１とコイルばね１４３が挿入されてコイルばね１４３の安定した伸縮を可能にするレベルにすることが望ましい。
【００２６】
また、図８に示すように、支持体１４０は、金属、合成樹脂、軟質ゴムのいずれか１種で円形棒状に形成され、底面に第１固定突起１４２が突設される第１ボディ１４１と、弾性を提供可能に第１固定突起１４２に上端が嵌挿されるコイルばね１４３と、金属、合成樹脂、軟質ゴムのいずれか１種で下広上狭の円形棒状に形成され、上面にコイルばね１４３の下端が嵌挿される第２固定突起１４６が突設される第２ボディ１４５と、を備えてなる。ここで、コイルばね１４３の代わりに弾性ゴム（図示せず）を用いることもできる。
【００２７】
また、支持体１４０は、第１実施例である図２及び図３に示すように、脚部１３０の底面中央部に取り付けられ、地面から４〜１０ｍｍ離れている。
【００２８】
また、支持体１４０は、第２、第３実施例である図４乃至図７に示すように、脚部１３０の底面中央部と底面中央部を中心に足１２０の底面に等間隔で放射状に取り付けられている。このとき、脚部１３０の底面中央部は地面から４〜１０ｍｍ離れており、脚部１３０の底面中央部を中心に放射状に遠ざかるにつれて地面との距離が次第に狭くなる。
【００２９】
以下、本発明による荷重分散可能な回転椅子の脚部構造の動作を図２乃至図１０を参照して詳細に説明する。
【００３０】
図９は、本発明の第１実施例により回転椅子に荷重が作用しない状態を示す側面例示図であり、図１０は、本発明の第１実施例により回転椅子に荷重が作用した状態を示す側面例示図である。
【００３１】
使用者が回転椅子１００に座ると、荷重が脚部１３０にかかり、弾性によって脚部１３０の高さが低くなる。
【００３２】
このとき、脚部１３０の高さが低くなると共に、脚部１３０の底面中央部に取り付けられた支持体１４０が下降して地面と接することになる。
【００３３】
すると、支持体１４０とキャスター１１０がいずれも地面と接することになり、荷重が安定的に分散する。
【００３４】
一方、回転椅子１００により多くの荷重がかかると、支持体１４０のコイルばね１４３が該当圧力だけ圧縮し、このため、第２ボディ１４５が圧力に対応して上昇して地面との接触を維持する。
【００３５】
これにより、支持体１４０への荷重の集中による支持体１４０の破損の危険性を防止することができる。
【００３６】
一方、使用者が回転椅子１００に座った状態で移動しようとするとき、足を地面に下ろして力を入れると、回転イス１００の脚部１３０にかかっている荷重が分散して、脚部１３０が弾性により若干上昇し、これにより支持体１４０が地面から離れてキャスター１１０の回転を可能にして移動可能になる。
【００３７】
また、支持体１４０を脚部１３０の底面中央部と底面中央部を中心に等間隔で放射状に取り付けることにより、荷重を一層分散することができる。このとき、支持体１４０は、その位置による高さ調節を必要し、例えば、脚部１３０の底面中央部に設けられる支持体１４０の地面との距離は４ｍｍとし、次いで所定の間隔おいて放射状に設けられる支持体１４０の地面との距離は２ｍｍとし、その次に所定の間隔おいて放射状に設けられる支持体１４０の地面との距離は１ｍｍとする。
【００３８】
したがって、回転椅子に荷重がかかると、支持体が地面と接触して荷重を分散させることにより、キャスターの破損や変形を予防することができ、寿命延長及び耐久性を大幅に向上させることができる。
【００３９】
また、使用者が座った状態で支持体が地面と接触することで回転椅子が余計に移動させられることを防止することができる。
【００４０】
以上、本発明の実施例を挙げて本発明を詳細に説明したが、本発明はこれらの実施例に限定されるものではなく、本発明の技術思想の範囲を逸脱しない範囲内であれば、当業者による各種の実施例の変更または応用が可能であり、また、その変更または応用範囲は、本発明の権利範囲の範ちゅうに属するとみなすことができる。
【図面の簡単な説明】
【００４１】
【図１】従来の回転椅子を示す斜視図である。
【図２】本発明の第１実施例による荷重分散可能な回転椅子の脚部構造を示す底面斜視図である。
【図３】図２の側断面図である。
【図４】本発明の第２実施例による荷重分散可能な回転椅子の脚部構造を示す底面斜視図である。
【図５】図４の側断面図である。
【図６】本発明の第３実施例による荷重分散可能な回転椅子の脚部構造を示す底面斜視図である。
【図７】図６の側断面図である。
【図８】本発明による荷重分散可能な回転椅子の脚部構造中支持体の構成を示す分解斜視図である。
【図９】本発明の第３実施例により椅子に荷重が作用しない状態を示す側面例示図である。
【図１０】本発明の第３実施例により椅子に荷重が作用した状態を示す側面例示図である。
【符号の説明】
【００４２】
５０、１１０    キャスター
４１、１２０    足
４０、１３０    脚部
１４０    支持体
１４１    第１ボディ
１４３    コイルばね
１４４    第２ボディ
【図１】
2008229315.tif 000003
【図２】
2008229315.tif 000004
【図３】
2008229315.tif 000005
【図４】
2008229315.tif 000006
【図５】
2008229315.tif 000007
【図６】
2008229315.tif 000008
【図７】
2008229315.tif 000009
【図８】
2008229315.tif 000010
【図９】
2008229315.tif 000011
【図１０】
2008229315.tif 000012